(57)【要約】      （修正有）【課題】防球・防護用のネット、又は避難用のシートの取り付けの作業が容易であり、且つネット又はシートの取り付け作業、及びメンテナンス作業が安全に且つ容易に行うことができるネット又はシートの吊り張り用ロープ、及び該ネット又はシートの吊り張り用ロープの架け渡し方法を提供する。【解決手段】屋内空間部の側面、天井面に沿って吊り張りされる防球・防護を目的とするネット、又は屋内空間部を複数に区画する区画用のシートを、移動自在に又は固定状態で吊り張りするネット又はシートの吊り張り用ロープ１において、吊り張り用ロープが吊り張りする距離に応じ適正に緊張状態で架け渡すことのできる長さに形成されたロープ本体２と、ロープ本体の少なくとも一端側に取り付けられた連結具３とから構成され、且つ連結具が、側面、支柱、又は梁部分に予め固定する固定部４と固定部への固定連結部５から構成されている。【選択図】図１
2020081814.tif 000002
【特許請求の範囲】
【請求項１】
屋内空間部の側面、天井面に沿って吊り張りされる防球・防護を目的とするネット、又は屋内空間部を複数に区画する区画用のシートを、移動自在に又は固定状態で吊り張りするネット又はシートの吊り張り用ロープにおいて、前記吊り張りロープが吊り張りする距離に応じ適切に緊張状態で架け渡すことのできる長さに形成されたロープ本体と、該ロープ本体の少なくとも一端側に取り付けられた連結具とから構成され、且つ前記連結具が、側面、支柱、又は梁部分に予め固定する固定部と該固定部への固定連結部とから構成されていることを特徴とするネット又はシートの吊り張り用ロープ。
【請求項２】
屋内空間部の所望の側面間、又は天井面の下方側に沿って複数本の吊り張り用ロープを架け渡した後、該吊り張り用ロープにネットを取り付けることで側面又は天井面に沿ってネットを吊り張り、又は屋内空間部の対向する側面間に沿って複数本の吊り張り用ロープを架け渡した後、該吊り張り用ロープにシートを取り付けることで屋内空間部を複数に区画するネット又はシートの吊り張り用ロープの架け渡し方法において、前記吊り張り用ロープを架け渡す際、前記側面等に前記吊り張り用ロープを形成するロープ本体の少なくとも一端側に取り付けられた連結具を直接又は間接的に固定した後、前記ロープ本体の他端側を架け渡す距離に応じて緊張状態で連結具を介して連結し側面等に固定する、又はロープ本体を緊張しながら側面等に固定することで、吊り張り用ロープを屋内空間部に架け渡すことを特徴とするネット又はシートの吊り張り用ロープの架け渡し方法。
【発明の詳細な説明】
【技術分野】
【０００１】本願発明は、各種スポーツの練習用、又は試合用として使用する屋内の練習場、又は災害避難所として使用する屋内空間部において、防球用（間仕切り用）、又は防護用としてその空間部の側面に沿って、又は／及び天井面に沿って吊り張りするネット、又は避難用として屋内空間部を複数に区画するシートを、移動自在に又は固定状態で取り付けるネット又はシートの吊り張り用ロープ、及び該ネット又はシートの吊り張り用のロープの架け渡し方法に関する。
【背景技術】
【０００２】従来、屋内空間部において使用する防球・防護用の各種のネットは、複数本の吊り張り用ロープを並行して架け渡し、又は複数本の吊り張り用ロープを交差して架け渡した後、前記吊り張り用ロープにネット体を移動自在に又は固定状態で取り付けることで、各種のネットを吊り張りする。【０００３】防球・防護用としての天井用ネットを吊り張りする場合は、天井面の下方の側面に沿って枠体を取り付け、該枠体、又は天井の梁を利用して複数本の吊り張り用ロープをそれぞれ取り付けることで、交差する方向に沿って吊り張り用ロープを架け渡した後、前記吊り張り用ロープを利用して前記天井面の形状に応じて形成されたネットを取り付けることで、天井面に沿って天井用ネットを吊り張りする。【０００４】また間仕切り用ネットを吊り張りする場合は、間仕切り面の上端側に沿って１本又は２本の吊り張り用ロープを架け渡した後、前記吊り張り用ロープに間仕切り面の形状に応じて形成されたネットの上端側を取り付けることで、間仕切り用のネットを吊り張りする。【０００５】また、避難用として屋内空間部を複数に区画する場合は、対向する側面間に沿って複数本の吊り張り用ロープを所望の間隔を有して架け渡した後、前記吊り張り用ロープの所望の範囲にシートを取り付け、さらに隣合う吊り張り用ロープ間に交差状の別体のシートを取り付けることで、空間部を複数に区画する。【０００６】上記ネット又はシートを取り付ける吊り張り用ロープは、一般に架け渡す長さに形成されたロープ本体と、該ロープ本体の両端側に取り付けられた連結具とから構成されている。
【発明が解決しようとする課題】
【０００７】しかしながら、上記従来の吊り張り用ロープは、枠体、梁、又は支柱部分を利用して取り付けるために、前記枠の形成、支柱への穿孔等の直接的な作業を必要とし、その作業が煩雑であるという欠点があった。
【０００８】また、前記吊り張り用ロープは、屋内空間部を形成する複数本の支柱部分又は天井の梁等を利用して取り付けるために、前記吊り張り用ロープの取り付け位置が支柱部分又は梁部分に限定され、必ずしも適切な取り付けができないという欠点があった。
【０００９】また、吊り張り用ロープは予め工場で形成されているために、前記吊り張り用ロープを架け渡した後に、弛み等が発生するために現場での再度の長さ調整が必要であった。
【００１０】さらに、従来の吊り張り用ロープは、枠体等に強固に連結して固定するために、摩耗等によるメンテナンス時の取り換え作業が煩雑になるという欠点があった。
【００１１】そこで、本発明は屋内空間部の側面に沿って、又は天井面に沿って防球・防護用のネット、又は避難用のシートの取り付けの作業が容易であり、空間部の形状、及び屋内空間部の各面積に応じて自在に防球用等のネット又はシートを吊り張りでき、且つネット又はシートの取り付け作業、及びメンテナンス作業が安全に且つ容易に行うことができるネット又はシートの吊り張り用ロープ、及び該ネット又はシートの吊り張り用ロープの架け渡し方法を提供することを課題とする。
【課題を解決するための手段】
【００１２】本願発明の上記課題を解決する手段としてのネット又はシートの吊り張り用ロープは、請求項１に記載のように、屋内空間部の側面、天井面に沿って吊り張りされる防球・防護を目的とするネット、又は屋内空間部を複数に区画する区画用のシートを、移動自在に又は固定状態で吊り張りするネット又はシートの吊り張り用ロープにおいて、前記吊り張り用ロープが吊り張りする距離に応じ適切に緊張状態で架け渡すことのできる長さに形成されたロープ本体と、該ロープ本体の少なくとも一端側に取り付けられた連結具とから構成され、且つ前記連結具が側面、支柱、又は梁部分に予め固定する固定部と、該固定部への固定連結部とから構成されていることを特徴とする。
【００１３】また、本願発明の上記課題を解決する手段としてのネット又はシートの吊り張り用ロープの吊り張り方法は、請求項２に記載のように、屋内空間部の所望の側面間、又は天井面の下方側に沿って複数本の吊り張り用ロープを架け渡した後、該吊り張り用ロープにネットを取り付けることで側面又は天井面に沿ってネットを吊り張り、又は屋内空間部の対向する側面間に沿って複数本の吊り張り用ロープを架け渡した後、該吊り張り用ロープにシートを取り付けることで屋内空間部を複数に区画するネット又はシートの吊り張り用ロープの架け渡し方法において、前記吊り張り用ロープを架け渡す際、前記側面等に前記吊り張り用ロープを形成するロープ本体の少なくとも一端側に取り付けられた連結具を直接又は間接的に固定した後、前記ロープ本体の他端側を架け渡す距離に応じて緊張状態で連結具を介して連結し側面等に固定する、又はロープ本体を緊張しながら側面等に固定することで吊り張り用ロープを屋内空間部に架け渡すことを特徴とする。
【発明の作用効果】
【００１４】次に、本願発明の請求項１乃至至請求項２に記載のネット又はシートの吊り張り用ロープ、及びネット又はシートの吊り張り用ロープの吊り張り方法の作用効果を説明する。
【００１５】先ず、請求項１に記載のネット又はシートの吊り張り用ロープは、屋内空間部の側面、天井面に沿って吊り張りする防球・防護を目的とするネット、又は屋内空間部を複数に区画する区画用のシートを移動自在に又は固定状態で取り付けるのに使用する吊り張り用ロープ（本願発明において、ロープとはワイヤーロープ、樹脂製ロープ等長尺紐状の総称として使用）である。
【００１６】そのため前記吊り張り用ロープは、屋内空間部の対向する側面間、対向する梁間に対応する長さで緊張状態を維持できるように形成されたロープ本体と、該ロープ本体の少なくとも一端側に取り付けられ側面等に固定するための連結具とから構成されている。
【００１７】このため、ロープ本体は側面間、対向する梁間等の形状、構造に応じて、ロープ本体を直線状又は水平状態から床面側への略Ｌ字状の架け渡し等、常に緊張状態維を持する状態で架け渡すことができる。
【００１８】また前記連結具が、側面、支柱部分、又は梁部分に予め固定する固定部と、該固定部に連結する固定連結部とから構成されているために、少なくともロープ本体の一端側を確実に固定部に取り付けでき、スムーズな吊り張り用ロープの架け渡しを行うことができる。
【００１９】前記連結具がロープ本体の両端側に取り付けられている場合は、予め固定部を側面等に固定した後、固定連結部をそれぞれ連結することで容易に吊り張り用ロープを架け渡すことができる。
【００２０】また、ロープ本体の一端側のみに連結具が設けられている場合は、一端側のみ固定部を予め固定した後、前記固定部に固定連結部を連結することで、一端側を連結し、その後、ロープ本体の他端側を側面又は床面側に固定された滑車、ウインチ等を用いて緊張状態を維持しながら調整することで、吊り張り用ロープを適切に架け渡す。
【００２１】このように、請求項１に記載のネット又はシートの吊り張り用ロープは、屋内空間部の側面、天井面等に沿って自在に架け渡すことができる利点がある。
【００２２】また、前記吊り張り用ロープは、常に緊張状態で架け渡すこたができ、防球・防護用、又は避難用として適切に架け渡すことができる利点がある。
【００２３】しかも、その構成が簡易であり、コストの面でも安価に形成することが可能となった。
【００２４】次に、請求項２に記載のネット又はシートの吊り張り用ロープの架け渡し方法は、屋内空間部の側面、又は天井面の下方側に沿って防球・防護を目的とするネットを吊り張り、又は屋内空間部を複数に区画する区画用のシートを吊り張りするために、側面間の上端側、天井の梁部分、又は所望の高さを有して対向する側面間に吊り張り用ロープを架け渡す。
【００２５】前記吊り張り用ロープを架け渡す際は、先ず前記吊り張り用ロープを形成するロープ本体の少なくとも一端側に取り付けられた連結具を直接側面等に固定、又は連結具を間接的（側面等に設けられた固定部と該固定部に連結する固定連結部とによる）に固定する。
【００２６】その後、前記ロープ本体の他端側を架け渡す距離に応じて緊張状態で連結具を介して連結して側面等に固定する。
【００２７】または、前記ロープ本体の他端側をウインチ等を用いて緊張しながら側面等に固定する。
【００２８】これにより、前記吊り張り用ロープを屋内空間部の所望の位置に複数本架け渡すことができる。
【００２９】このように、請求項２に記載のネット又はシートの吊り張り用ロープの架け渡し方法は、あらゆる側面間、天井面に沿って自在に取り付けできる利点がある。
【００３０】また、その作業効率が良くスムーズな架け渡し作業を行うことができる。
【発明を実施するための最良の形態】
【００３１】本願発明のネット又はシートの吊り張り用ロープ、及びネット又はシートの吊り張り用ロープの架け渡し方法について図面を用いて説明する。【００３２】図１は本願発明のネット又はシート吊り張り用ロープの一実施例を示す概略説明側面図であり、図２は複数本のネット又はシートの吊り張り用ロープを格子状に架け渡した状態を示す概略説明平面図であり、図３は天井面に沿って架け渡したネット又はシートの吊り張り用ロープを示す概略説明側面図であり、図４はロープ本体の他端側に滑車を用いた場合を示す概略説明側面図であり、図５はロープ本体の他端側にウインチを用いた場合を示す概略説明側面図であり、図６及び図７は吊り張り用ロープを間接的に連結する場合を示す概略説明平面図であり、図８は支柱（Ｈ鋼）に連結具を連結する場合を示す概略説明平面図であり、図９は屋内空間部の天井面に沿って、側面間にネット又はシートの吊り張り用ロープを架け渡す場合を示す概略説明側面図である。【００３３】図１０、図１１及び図１２はネット又はシートの吊り張り用ロープの架け渡し方法を示すフローチャートである。
【実施例１】
【００３４】本願発明のネット又はシートの吊り張り用ロープ１は、屋内空間部の側面間、又は天井面の長さに応じて緊張状態で架け渡すことのできる長さに形成されたロープ本体２と、前記ロープ本体２の少なくとも一端側に取り付けられた連結具３とから構成されている。【００３５】前記連結具３の取り付けは、前記ロープ本体２の両端側に取り付けることで両端側をそれぞれ側面等に連結して固定し、前記吊り張り用ロープ１を側面間等に架け渡す取り付け方法と、さらに次のように方法とがある。【００３６】即ち、前記連結具３を前記ロープ本体２の一端側のみに取り付けることで、連結具３の取り付けられたロープ本体２の一端側のみ側面等に連結して固定し、前記ロープ本体２の他端側は側面等に固定したエンドレス方式のウインチ２２、又は逆回転防止付き滑車２３を介して緊張状態で取り付ける方法がある。【００３７】このため、前記ロープ本体２の他端側は前記エンドレス方式のウインチ２２に連結、又は逆回転防止付き滑車２３を介して床面側に連結することで、常にロープ本体２を緊張状態とすべく調整することができ、吊り張り用ロープ１の適切な架け渡しを可能とする。尚、前記他端側はエンドレス方式のウインチ２２に限定されるものでなく、巻き取り方式のウインチ（図示せず）を用いてロープ本体２を巻き取り緊張状態とすることも可能である。【００３８】前記連結具３は、屋内空間部を形成する支柱（Ｈ鋼を含む各種の支持部材）１０部分、又は側面等に固定する固定部４と、前記ロープ本体２の端部に固定し、前記固定部４に連結する固定連結部５とから構成されている。【００３９】前記固定部４は、側面、支柱１０、又は天井の梁部分にボルト等で取り付けて固定する固定板４Ａと、前記固定板４Ａに取り付ける略Ｕ字状の留め具４Ｂとから構成されている。【００４０】前記固定連結部５は、前記留め具４Ｂに連結するためのリング環５Ａで形成されている。【００４１】前記吊り張り用ロープ１の架け渡しにおいて、その隣合う吊り張り用ロープ１の間を調整する場合は、前記各固定部４の留め具４Ｂに棒状体３６又は連結ロープ体３７を挿通することで、側面に沿って前記棒状体３６又は連結ロープ体３７を取り付け、前記棒状体３６又は連結ロープ体３７に前記リング環５Ａを連結することで、スライド自在に吊り張り用ロープ１を架け渡すことも可能である。【００４２】特に支柱１０部分、又は側面の強度のある部分と架け渡す位置が相違する場合は、前記棒状体３６又は連結ロープ体３７を使用することが適切である。【００４３】前記リング環５Ａは前記棒状体３６又は連結ロープ体３７に直接挿通され、螺子等で固定するストッパー体（図示せず）、又は前記棒状体３６又は連結ロープ体３７に取り付けることで固定するストッパー体（図示せず）を用いてその移動を阻止することができる。【００４４】尚、前記連結具４は上記構成に限定されるものでなく、固定板４Ａと固定連結部４Ｂとが一体的に構成することも可能である。【００４５】前記ロープ本体２には、ネット又はシートを取り付ける取付具（図示せず）が移動自在に又は固定状態で取り付けられている。これにより、ネット又はシートを容易にロープ本体２に取り付けできる。【００４６】本願発明のネット又はシートの吊り張り用ロープ１は上記のように構成され、次に、該吊り張り用ロープ１を屋内空間部の天井面に沿って架け渡し、天井用ネットを吊り張りする場合について説明する。【００４７】先ず、屋内空間部の天井面の下方側の側面及び天井面の梁部分を利用して連結具３を形成する固定部４の固定板４Ａを側面及び梁に所望の幅を有して取り付けて固定し、該固定板４Ａに留め具４Ｂをそれぞれ取り付ける。【００４８】次に、前記留め具４Ｂに天井面の面積に応じて形成された複数本のロープ本体２の両端側に取り付けられた固定連結部５のリング環５Ａを連結することで、吊り張り用ロープ１をそれぞれ天井面に沿って架け渡す。【００４９】前記吊り張り用ロープ１の架け渡しは、天井面の大きさに応じて、一方向に沿って複数本の吊り張り用ロープ１を並行して架け渡す場合と、大きな空間部を有する天井面又は円弧状のドーム形の天井面の場合は、複数本の吊り張り用ロープ１を格子状に架け渡すことで、落下防止の効果の向上を目的とする。【００５０】これにより、前記複数本の吊り張り用ロープ１に天井面の形状に応じて形成されたネット（図示せず）を直接又は取付具を介して間接的取り付けることで、天井用ネットを天井面に沿って吊り張りする。【００５１】この際、支柱（Ｈ鋼）１０部分に固定板４Ａを取り付ける際は、Ｈ鋼部分に孔を穿孔することなく、２枚の固定板４ＡでＨ鋼部分を挟持した状態とし、前記各固定板４Ａと押さえ板４Ｅとをボルト４Ｃで連結することで、Ｈ鋼に強固に固定することができる。【００５２】これにより、天井面の構造上の強度に影響を与えることなく適切に天井用ネットを吊り張りできる。【００５３】このように、天井面に沿って容易に、且つ適切に吊り張り用ロープ１を架け渡すことができる。【００５４】次に、避難用として屋内空間部を複数に区画する場合について説明する。【００５５】先ず、対向するそれぞれの側面の補強部分に前記固定板４Ａを取り付けるとともに、固定板４Ａに留め具４Ｂを取り付ける。尚、固定板４Ａと留め具４Ｂとが一体的に形成されている場合は、固定板４Ａのみを取り付ける。【００５６】次に、前記留め具４Ｂに沿って棒状体３６又は連結ロープ体３７を挿通することで、側面用の固定部４を取り付ける。【００５７】そして、前記棒状体３６又は連結ロープ体３７に側面間に応じて形成されたロープ本体２の両端側に取り付けられた固定連結部５のリング環５Ａを取り付けることで、複数本の吊り張り用ロープ１を架け渡す。【００５８】この際、各吊り張り用ロープ１を棒状体３６又は連結ロープ体３７に沿って移動しストッパーで固定することで、隣合う吊り張り用ロープ１間の距離を調整する。【００５９】また、吊り張り用ロープ１の一端側のみに固定連結部５が設けられている場合は、一端側のみ前記棒状体３６又は連結ロープ体３７に連結した後、他端側は側面に固定された逆回転防止付き滑車２３を介して床面側に取り付けられた固定板４Ａの留め具４Ｂに連結して固定することで、吊り張り用ロープ１を常に緊張状態で架け渡すことができる。【００６０】また、他端側を側面に固定されたエンドレス方式のウインチ２２を用いて緊張状態で引っ張ることで、適切に緊張状態で吊り張り用ロープ１を架け渡すことができる。【００６１】その後、前記吊り張り用ロープ１に区画用のシート（図示せず）を取り付け、さらに隣合う吊り張り用ロープ１間に別体のシート（図示せず）を取り付けることで、屋内空間部を複数に区画することができる。【００６２】このように、容易に吊り張り用ロープ１を架け渡すことができ、しかも、その間隔を自在に調整することができる。
【図面の簡単な説明】
【００６３】
【図１】本願発明のネット又はシートの吊り張り用ロープの一実施例を示す概略説明側面図
【図２】ネット又はシートの吊り張り用ロープを格子状に架け渡した状態を示す概略説明平面図
【図３】天井面に沿って架け渡したネット又はシート吊り張り用ロープを示す概略説明側面図
【図４】ロープ本体の他端側に滑車を用いた場合を示す概略説明側面図
【図５】ロープ本体の他端側にウインチを用いた場合を示す概略説明側面図
【図６】吊り張り用ロープを間接的に連結する場合を示す概略説明平面図
【図７】吊り張り用ロープを間接的に連結する場合を示す概略説明正面図
【図８】支柱（Ｈ鋼）に連結具を連結する場合を示す概略説明平面図
【図９】天井面に沿って、及び側面間に沿ってネット又はシート吊り張り用ロープを架け渡す場合を示す概略説明側面図
【図１０】本願発明のネット又はシート吊り張り用ロープの架け渡し方法のフローチャート
【図１１】本願発明のネット又はシート吊り張り用ロープの架け渡し方法のフローチャート
【図１２】本願発明のネット又はシート吊り張り用ロープの架け渡し方法のフローチャート
【符号の説明】
【００６４】１−吊り張り用ロープ、２−ロープ本体、３−連結具、４−固定部、５−固定連結部
【図１】
2020081814.tif 000003
【図２】
2020081814.tif 000004
【図３】
2020081814.tif 000005
【図４】
2020081814.tif 000006
【図５】
2020081814.tif 000007
【図６】
2020081814.tif 000008
【図７】
2020081814.tif 000009
【図８】
2020081814.tif 000010
【図９】
2020081814.tif 000011
【図１０】
2020081814.tif 000012
【図１１】
2020081814.tif 000013
【図１２】
2020081814.tif 000014